(57)【特許請求の範囲】
【請求項１】
音響システムであって、
音及び画像を出力可能な出力ユニットと、
外部装置と通信可能な通信ユニットと、
音響データの再生用信号を送信する通信機器から、前記通信ユニットを介して前記再生用信号を受信し、前記再生用信号に基づく音を前記受信に応じて前記出力ユニットに出力させることにより、前記音響データが表す一連の音の再生を実現する第一出力制御ユニットと、
前記音響データが表す前記一連の音に対応する複数の言葉を含む画像出力用データを保有するサーバ装置から、前記通信ユニットを介して前記画像出力用データを取得する取得制御ユニットと、
前記取得制御ユニットが取得した前記画像出力用データに基づき、前記音響データが表す前記一連の音の内、前記出力ユニットが出力する音に対応する言葉を、前記画像として前記出力ユニットに出力させる第二出力制御ユニットと、
を備え、
前記通信機器は、前記再生用信号に基づいて出力される音の前記音響データにおける再生位置を表す再生位置信号を、少なくとも再生位置が変更される指令が当該通信機器に入力されたときに前記音響システムに対して送信する構成にされ、
前記第二出力制御ユニットは、前記通信機器から、前記通信ユニットを介して前記再生位置信号を受信し、前記再生位置信号に基づいて、前記出力ユニットが出力する音に対応する言葉を、前記画像として前記出力ユニットに出力させること
を特徴とする音響システム。
【請求項２】
前記音響システムは、
再生時間をカウントするカウンタを備え、
前記第二出力制御ユニットは、前記カウンタがカウントする再生時間を、前記受信した前記再生位置信号が表す前記再生位置に対応した時間に補正し、前記カウンタがカウントする前記再生時間に基づいて、前記出力ユニットが出力する音に対応する言葉を、前記画像として前記出力ユニットに出力させること
を特徴とする請求項１記載の音響システム。
【請求項３】
前記取得制御ユニットは、前記サーバ装置から取得した前記画像出力用データを、前記通信機器に、前記通信ユニットを介して送信することを特徴とする請求項１又は請求項２記載の音響システム。
【請求項４】
前記取得制御ユニットは、前記音響データに対応する前記画像出力用データを識別可能な識別用データを、前記通信機器から前記通信ユニットを介して受信し、前記受信した前記識別用データに基づき、前記音響データに対応する前記画像出力用データを前記サーバ装置から取得すること
を特徴とする請求項１〜請求項３のいずれか一項記載の音響システム。
【請求項５】
前記画像出力用データは、前記複数の言葉の夫々に関して、前記音響データにおける音の再生位置と言葉との対応関係を規定する情報を含み、
前記第二出力制御ユニットは、前記対応関係を規定する情報に基づき、前記複数の言葉の内、前記出力ユニットが出力する音の再生位置に対応する言葉を、前記画像として前記出力ユニットに出力させること
を特徴とする請求項１〜請求項４のいずれか一項記載の音響システム。
【請求項６】
前記音響データは、楽曲データであり、
前記画像出力用データは、歌詞データであり、
前記第二出力制御ユニットは、前記楽曲データに対応する前記歌詞データに基づき、前記一連の音としての前記楽曲データが表す楽曲の内、前記出力ユニットが出力する部分に対応する歌詞の言葉を、前記画像として前記出力ユニットに出力させること
を特徴とする請求項１〜請求項５のいずれか一項記載の音響システム。
【請求項７】
請求項１〜請求項６のいずれか一項記載の音響システムと通信するための通信機器であって、
前記音響データを記憶する記憶ユニットと、
前記音響データの再生指示が入力されたことを条件に、前記音響データを再生処理して、前記音響データが表す一連の音を前記音響システムに出力させるための再生用信号を前記音響システムに送信する第一送信制御ユニットと、
少なくとも前記再生処理において再生位置が変更される指令が入力されたときに、前記一連の音の内、前記再生用信号に基づいて出力される音の前記音響データにおける再生位置を表す再生位置信号を前記音響システムに送信する第二送信制御ユニットと、
を備えることを特徴とする通信機器。
【請求項８】
請求項３記載の音響システムと通信するための通信機器であって、
画像を出力可能な表示ユニットと、
前記音響データを記憶する記憶ユニットと、
前記音響データの再生指示が入力されたことを条件に、前記音響データを再生処理して、前記音響データが表す一連の音を前記音響システムに出力させるための再生用信号を前記音響システムに送信する第一送信制御ユニットと、
少なくとも前記再生処理において再生位置が変更される指令が入力されたときに、前記一連の音の内、前記再生用信号に基づいて出力される音の前記音響データにおける再生位置を表す再生位置信号を前記音響システムに送信する第二送信制御ユニットと、
前記音響データに対応する前記画像出力用データを前記音響システムから受信し、前記受信した前記画像出力用データに基づき、前記音響システムの前記出力ユニットによって出力される音に対応する言葉を、前記画像として前記表示ユニットに出力させる表示制御ユニットと、
を備えることを特徴とする通信機器。
【請求項９】
請求項１又は請求項２記載の音響システムと通信するための通信機器であって、
画像を出力可能な表示ユニットと、
前記音響データを記憶する記憶ユニットと、
前記音響データの再生指示が入力されたことを条件に、前記音響データを再生処理して、前記音響データが表す一連の音を前記音響システムに出力させるための再生用信号を前記音響システムに送信する第一送信制御ユニットと、
少なくとも前記再生処理において再生位置が変更される指令が入力されたときに、前記一連の音の内、前記再生用信号に基づいて出力される音の前記音響データにおける再生位置を表す再生位置信号を前記音響システムに送信する第二送信制御ユニットと、
前記音響データに対応する前記画像出力用データを取得して、前記画像出力用データに基づき、前記音響システムの前記出力ユニットによって出力される音に対応する言葉を、前記画像として前記表示ユニットに出力させる表示制御ユニットと、
を備えることを特徴とする通信機器。
【請求項１０】
前記表示制御ユニットは、前記出力される音に対応する言葉を、前記再生位置に応じて前記表示ユニットに出力させることにより、前記言葉についての前記音響システム及び前記通信機器における同期した画像出力を実現すること
を特徴とする請求項８又は請求項９記載の通信機器。
【請求項１１】
請求項１〜請求項６のいずれか一項記載の音響システムと通信するための通信機器のコンピュータに、
音響データの再生指示が入力されたことを条件に、前記音響データを再生処理して、前記音響データが表す一連の音を前記音響システムに出力させるための再生用信号を前記音響システムに送信する第一送信制御手順と、
少なくとも前記再生処理において再生位置が変更される指令が入力されたときに、前記一連の音の内、前記再生用信号に基づいて出力される音の前記音響データにおける再生位置を表す再生位置信号を前記音響システムに送信する第二送信制御手順と、
を実行させるためのプログラム。
【請求項１２】
請求項３記載の音響システムと通信するための通信機器のコンピュータに、
音響データの再生指示が入力されたことを条件に、前記音響データを再生処理して、前記音響データが表す一連の音を前記音響システムに出力させるための再生用信号を前記音響システムに送信する第一送信制御手順と、
少なくとも前記再生処理において再生位置が変更される指令が入力されたときに、前記一連の音の内、前記再生用信号に基づいて出力される音の前記音響データにおける再生位置を表す再生位置信号を前記音響システムに送信する第二送信制御手順と、
前記音響データに対応する前記画像出力用データを前記音響システムから受信し、前記受信した前記画像出力用データに基づき、前記音響システムの前記出力ユニットによって出力される音に対応する言葉を、前記通信機器の表示ユニットに画像として出力させる表示制御手順と、
を実行させるためのプログラム。
【請求項１３】
請求項１又は請求項２記載の音響システムと通信するための通信機器のコンピュータに、
前記音響データの再生指示が入力されたことを条件に、前記音響データを再生処理して、前記音響データが表す一連の音を前記音響システムに出力させるための再生用信号を前記音響システムに送信する第一送信制御手順と、
少なくとも前記再生処理において再生位置が変更される指令が入力されたときに、前記一連の音の内、前記再生用信号に基づいて出力される音の前記音響データにおける再生位置を表す再生位置信号を前記音響システムに送信する第二送信制御手順と、
前記音響データに対応する前記画像出力用データを取得して、前記画像出力用データに基づき、前記音響システムの前記出力ユニットによって出力される音に対応する言葉を、前記通信機器の表示ユニットに画像として出力させる表示制御手順と、
を実行させるためのプログラム。
【発明の詳細な説明】
【技術分野】
【０００１】
本発明は、音響システム、通信機器及びプログラムに関する。
【背景技術】
【０００２】
従来、携帯型の楽曲再生装置が知られている。スマートフォンに代表される近年の携帯型の通信機器は、楽曲再生装置としての機能を備えていることが一般的である。この通信機器は、例えば、ストレージ装置に記憶される楽曲データを再生処理して、楽曲データに対応する楽曲を、内蔵するスピーカから出力する。
【０００３】
楽曲再生装置と無線通信し、楽曲再生装置が再生処理した楽曲データに対応する楽曲を出力するスピーカシステムもまた知られている（例えば特許文献１参照）。
【先行技術文献】
【特許文献】
【０００４】
【特許文献１】特開２００８−２７８３２８号公報
【発明の概要】
【発明が解決しようとする課題】
【０００５】
ところで、近年では、消費者がネットワークを通じて楽曲データを購入して、好きな楽曲を聴くケースが多くなってきている。このケースでは、楽曲データに通常歌詞データが付されていないことにも起因して、楽曲に対応する歌詞を消費者が詳しく知る機会は、少ない。これに対し、一部の楽曲提供者には、楽曲を歌詞と共に楽しんでほしいという願いがある。更に、一部の消費者には、楽曲を歌詞と共に楽しみたいという欲求がある。
【０００６】
本発明の一局面では、ユーザの楽しみを増大し得る音響システム、及び、その音響システムを利用可能な通信機器の少なくとも一方を提供できることが望ましい。
【課題を解決するための手段】
【０００７】
本発明の一局面に従う音響システムは、出力ユニットと、通信ユニットと、第一出力制御ユニットと、第二出力制御ユニットと、を備える。出力ユニットは、音及び画像を出力可能に構成される。通信ユニットは、外部装置と通信可能に構成される。
【０００８】
第一出力制御ユニットは、音響データの再生用信号を送信する通信機器から、通信ユニットを介して再生用信号を受信し、この再生用信号に基づく音を出力ユニットに出力させる構成にされる。この構成によって、第一出力制御ユニットは、音響データが表す一連の音の再生が出力ユニットを通じて実現されるように動作し得る。第一出力制御ユニットは、再生用信号に基づく音を、再生用信号の受信に応じて（例えば連鎖的に）出力ユニットに出力させる構成にされてもよい。
【０００９】
第二出力制御ユニットは、音響データが表す一連の音の内、出力ユニットが出力する音に対応する言葉を、画像として出力ユニットに出力させる構成にされる。第二出力制御ユニットは、音響データが表す一連の音の内、出力ユニットが出力する音に対応する言葉を取得又は生成して、これを画像として出力ユニットに出力させる構成にされてもよい。
【００１０】
本発明の一局面によれば、音響システムは、音響データが表す一連の音の出力に対応して、この音に対応する言葉を、画像として出力することができるので、音を聴くことに対
するユーザの楽しみが増大し得る。
【００１１】
音響データの例には、楽曲データが含まれる。第二出力制御ユニットは、楽曲データが表す楽曲の内、出力ユニットが出力する部分に対応する歌詞の言葉を、出力ユニットに出力させる構成にされ得る。
【００１２】
本発明の一局面によれば、音響システムは、通信機器での楽曲データに対する再生処理により生成される再生用信号に従って、楽曲を出力することができる一方、楽曲に対応する歌詞を表示することができる。この場合、ユーザは、例えば、音響システムを利用して楽曲を音として楽しむことができ、その歌詞を見て楽しむことができる。従って、本発明の一局面によれば、音響システムは、ユーザの楽しみを増大し得る。通信機器の例には、スマートフォンやタブレット等の楽曲再生機能を有する通信機器、及び、通信機能を有する楽曲再生装置が含まれる。
【００１３】
音響データの例には、音声付動画データも含まれる。第二出力制御ユニットは、動画データが表す動画の内、出力ユニットが出力する部分（動画音声）に対応する字幕を、画像として出力ユニットに出力させる構成にされ得る。従って、本発明の一局面によれば、音響システムは、例えば、動画視聴に対するユーザの楽しみを増大し得る。
【００１４】
通信機器は、再生用信号に基づいて出力される音の音響データにおける再生位置を表す再生位置信号を送信する構成にされ得る。この場合、第二出力制御ユニットは、通信機器から、通信ユニットを介して再生位置信号を受信し、この再生位置信号に基づいて、出力ユニットが出力する音に対応する言葉を、画像として出力ユニットに出力させる構成にされ得る。
【００１５】
更に言えば、音響システムは、再生時間をカウントするカウンタを備えてもよい。この場合、第二出力制御ユニットは、カウンタがカウントする再生時間を、受信した再生位置信号が表す再生位置に対応した時間に補正する構成にされ得る。更に、第二出力制御ユニットは、カウンタがカウントする再生時間に基づいて、出力ユニットが出力する音に対応する言葉を、画像として出力ユニットに出力させる構成にされ得る。
【００１６】
このような構成によれば、再生位置信号が少ない頻度で通信機器から送信される場合でも、音響システムは、適切なタイミングで出力音に対応する言葉を表示し得る。従って、本発明の一局面によれば、音響システムは、音に対して言葉の表示タイミングが不適切にずれるのを抑制することができる。
【００１７】
音響システムは、音響データに対応する画像出力用データを取得する取得制御ユニットを有してもよい。画像出力用データは、音響データが表す一連の音に対応する複数の言葉を含んだ構成にされ得る。例えば、取得制御ユニットは、通信機器、及び、通信機器とは異なるサーバ装置の少なくとも一方から、通信ユニットを介して、音響データに対応する画像出力用データを取得する構成にされ得る。
【００１８】
取得制御ユニットは、通信ユニットを介して広域通信によりサーバ装置から画像出力用データを取得する構成にされてもよい。あるいは、取得制御ユニットは、通信ユニットを介して狭域通信により通信機器から画像出力用データを取得する構成にされてもよい。第一出力制御ユニットは、通信ユニットを介して狭域通信により周辺の通信機器から再生用信号を受信する構成にされ得る。この他、取得制御ユニットは、サーバ装置から取得した画像出力用データを、通信機器に、通信ユニットを介して送信する構成にされてもよい。
【００１９】
第二出力制御ユニットは、上記取得制御ユニットが取得した画像出力用データに基づき
、上記複数の言葉の内、出力ユニットが出力する音に対応する言葉を、画像として出力ユニットに出力させる構成にされ得る。あるいは、第二出力制御ユニットは、出力ユニットが出力する音を解析し、その解析結果に従って、当該音が表す言葉を、画像として出力ユニットに出力させる構成にされ得る。このようにして、第二出力制御ユニットは、出力ユニットが出力する音に対応する言葉を生成する構成にされてもよい。この場合、画像出力用データは、用いられなくてもよい。
【００２０】
取得制御ユニットは、音響データに対応する画像出力用データを識別可能な識別用データを、通信機器から通信ユニットを介して受信する構成にされてもよい。この場合、取得制御ユニットは、受信した識別用データに基づき、音響データに対応する画像出力用データを取得する構成にされ得る。別例として、取得制御ユニットは、通信機器からの再生用信号及び出力ユニットからの出力音の少なくとも一方を解析することにより、音響データに対応する画像出力用データを識別する構成にされてもよい。
【００２１】
この他、画像出力用データは、上記複数の言葉の夫々に関して、音響データにおける音の再生位置と言葉との対応関係を規定する情報を含んだ構成にされ得る。この場合、第二出力制御ユニットは、上記対応関係を規定する情報に基づき、上記複数の言葉の内、出力ユニットが出力する音の再生位置に対応する言葉を、画像として出力ユニットに出力させる構成にされ得る。
【００２２】
画像出力用データの例には、歌詞データが含まれる。音響データが楽曲データであり、画像出力用データが歌詞データである場合、第二出力制御ユニットは、楽曲データに対応する歌詞データに基づき、楽曲データが表す楽曲の内、出力ユニットが出力する部分に対応する歌詞の言葉を、画像として出力ユニットに出力させる構成にされてもよい。
【００２３】
また、本発明の一局面に従う通信機器は、音響データの再生指示が入力されたことを条件に、この音響データを再生処理して、音響データが表す一連の音を音響システムに出力させるための再生用信号を音響システムに送信する送信制御ユニットを備える。通信機器は、音響データを記憶するための記憶ユニットを備えた構成にされ得る。
【００２４】
通信機器は、音響データが表す一連の音の内、上記再生用信号に基づいて出力される音の音響データにおける再生位置を表す再生位置信号を、音響システムに送信する送信制御ユニットを更に備えた構成にされてもよい。
【００２５】
通信機器は、画像を出力可能な表示ユニットを備えてもよい。音響データに対応する画像出力用データを音響システムから受信し、受信した画像出力用データに基づき、音響システムの出力ユニットによって出力される音に対応する言葉を、画像として通信機器の表示ユニットに出力させる構成にされた表示制御ユニットを、通信機器は備えてもよい。この場合には、音響システムが音出力に合わせて、音に対応する言葉を表示し、更に、通信機器が上記音に対応する言葉を表示し得る。
【００２６】
通信機器は、音響データに対応する画像出力用データを取得して、画像出力用データを音響システムに送信すると共に、画像出力用データに基づき、音響システムの出力ユニットによって出力される音に対応する言葉を、画像として表示ユニットに出力させる表示制御ユニットを備えてもよい。
【００２７】
本発明の一局面によれば、通信機器は、上記音響データの再生用信号及び再生位置信号を音響システムに送信し、通信機器及び音響システムの内の一方は、サーバ装置から音響データに対応する画像出力用データを取得し、通信機器及び音響システムの内の他方は、通信機器及び音響システムの内の一方から画像出力用データを取得し得る。この場合、通
信機器及び音響システムは、互いに、音響システムによる音出力に合わせて（又は音の再生位置に応じて）、出力音に対応する言葉を、画像として同期出力し得る。
【００２８】
本発明の別局面によれば、音響システム及び通信機器が有する機能の少なくとも一部は、プログラムによりコンピュータに実現させることができる。例えば、通信機器は、コンピュータ（又はプロセッサ）と、コンピュータ（又はプロセッサ）を上述した通信機器に係るユニットの少なくとも一つとして機能させるためのプログラムを記憶するメモリと、を備えた構成にされ得る。
【００２９】
上記プログラムは、例えば、第一送信制御手順と、第二送信制御手順と、を通信機器のコンピュータに実行させるためのプログラムであり得る。第一送信制御手順は、音響データの再生指示が入力されたことを条件に、音響データを再生処理して、音響データが表す一連の音を音響システムに出力させるための再生用信号を音響システムに送信する手順であり得る。第二送信制御手順は、出力される音の音響データにおける再生位置を表す再生位置信号を音響システムに送信する手順であり得る。
【００３０】
これらのプログラムは、コンピュータが読取可能なあらゆる形態の記録媒体に記録され得る。記録媒体は、有形の非一時的な記録媒体であり得る。有形の非一時的な記録媒体の例には、半導体製メモリ、磁気ディスク、及び、光ディスク等が含まれる。
【図面の簡単な説明】
【００３１】
【図１】楽曲再生システムの概略構成を表すブロック図である。
【図２】通信端末、音響システム及びサーバ装置の概略構成を表すブロック図である。
【図３】歌詞データの概略構成を表す図である。
【図４】通信端末及び音響システムの制御ユニットで実現される機能を表すブロック図である。
【図５】主制御部にて実行される処理を表すフローチャートである。
【図６】再生位置信号の送信タイミングを例示した図である。
【図７】データ取得部にて実行される処理を表すフローチャートである。
【図８】第二変形例の楽曲再生システムが有する通信端末及び音響システムの制御ユニットで実現される機能を表すブロック図である。
【発明を実施するための形態】
【００３２】
以下に、本発明の実施例を図面と共に説明する。但し、本発明は、下記実施例によって何ら限定して解釈されない。下記実施例の一部を省略した態様も本発明の実施形態である。特許請求の範囲に記載した文言のみによって特定される発明の本質を逸脱しない範囲において考え得るあらゆる態様も本発明の実施形態である。
【００３３】
図１に示す本実施例の楽曲再生システム１は、携帯型の通信端末１０と、音響システム５０と、サーバ装置９０と、を備える。図１において破線で示される部位は、後に変形例の説明で用いられる。通信端末１０としては、スマートフォンやタブレット端末等を一例に挙げることができる。
【００３４】
この楽曲再生システム１では、通信端末１０が楽曲データＤＭを再生処理して、楽曲データＤＭの再生用信号を音響システム５０に送信する。通信端末１０は、この再生用信号の送信に合わせて、更に、楽曲データＤＭの再生位置信号を音響システム５０に送信する。通信端末１０は、上記再生処理の実行に先駆けて、楽曲データＤＭに基づいて再生される楽曲の曲目データを音響システム５０に送信する構成にされる。
【００３５】
音響システム５０は、通信端末１０から受信した曲目データに基づき、再生処理対象の
楽曲データＤＭに対応する歌詞データＤＬをサーバ装置９０から広域ネットワークＮＴを介して取得する。その後、音響システム５０は、通信端末１０から送信されてくる楽曲データＤＭの再生用信号を受信し、この再生用信号に基づき、対応する楽曲を、内蔵するスピーカ５３（図２参照）から出力する。
【００３６】
音響システム５０は、更に、通信端末１０からの再生位置信号を受信し、この再生位置信号及びサーバ装置９０から取得した歌詞データＤＬに基づき、スピーカ５３からの出力音に対応する歌詞の文字列を、内蔵するディスプレイ５５（図２参照）に表示する。
【００３７】
即ち、本実施例の楽曲再生システム１は、通信端末１０が再生処理する楽曲データＤＭに対応する楽曲の出力及び歌詞の表示を、通信端末１０とは別の音響システム５０で実現する構成にされる。通信端末１０と音響システム５０との間の通信は、狭域通信により実現され、音響システム５０とサーバ装置９０との間の通信は、広域ネットワークＮＴを通じた広域通信により実現される。
【００３８】
広域ネットワークＮＴは、例えばインターネットである。狭域通信は、ブルートゥース（登録商標）に代表される近距離通信規格に従う近距離無線通信、及び、ＩＥＥＥ８０２．１１通信規格に従う無線ＬＡＮ通信の少なくとも一方によって実現され得る。ここで言う無線ＬＡＮ通信により実現される狭域通信は、ローカルエリアネットワーク内の通信を示す。楽曲再生システム１は、通信端末１０及び音響システム５０が、互いに同一室内に位置する場合等の距離的に近い位置関係にあるとき、有意義に機能する。
【００３９】
図２に示すように、本実施例の通信端末１０は、制御ユニット１１と、記憶ユニット１３と、ユーザインタフェース１５と、通信ユニット１７と、を備える。制御ユニット１１は、ＣＰＵ１１Ａと、メモリ１１Ｂと、を備える。ＣＰＵ１１Ａは、記憶ユニット１３が記憶する各種プログラムに従う処理を実行する。メモリ１１Ｂは、ＣＰＵ１１Ａによる処理実行時に作業領域として使用されるＲＡＭを含む。以下では、ＣＰＵ１１Ａがプログラムに従って実行する処理を、制御ユニット１１を動作主体として説明する。
【００４０】
記憶ユニット１３は、制御ユニット１１によりデータ読取及び書込可能な構成にされる。記憶ユニット１３は、通信端末１０において各種機能を実現するためのプログラム、及び、各種データを記憶する。各種データには、一つ又は複数の楽曲データＤＭが含まれる。記憶ユニット１３は、例えば大容量のフラッシュメモリによって構成される。
【００４１】
ユーザインタフェース１５は、ユーザに対して各種画面を表示可能、且つ、ユーザからの操作を受付可能に構成される。ユーザインタフェース１５は、例えば、液晶ディスプレイ及びタッチパネル（図示せず）を備えた構成にされる。ユーザインタフェース１５は、制御ユニット１１に制御されて、各種画面を表示し、ユーザからの操作信号を制御ユニット１１に入力する。
【００４２】
通信ユニット１７は、近距離無線通信モジュール及び無線ＬＡＮ通信モジュール（図示せず）を備える。即ち、通信ユニット１７は、上記近距離通信規格に従う近距離無線通信、及び、ＩＥＥＥ８０２．１１通信規格に従う無線ＬＡＮ通信を実現可能な構成にされる。制御ユニット１１は、この通信ユニット１７を介して音響システム５０と無線通信する。
【００４３】
音響システム５０は、制御ユニット５１と、スピーカ５３と、ディスプレイ５５と、通信ユニット５７と、を備える。制御ユニット５１は、ＣＰＵ５１Ａ及びメモリ５１Ｂを備える他、図示しない回路を備える。
【００４４】
ＣＰＵ５１Ａは、各種プログラムに従う処理を実行する。メモリ５１Ｂは、各種プログラムを記憶するＲＯＭ、及び、ＣＰＵ５１Ａによる処理実行時に作業領域として使用されるＲＡＭを含む。以下では、ＣＰＵ５１Ａがプログラムに従って実行する処理を、制御ユニット５１を動作主体として説明する。
【００４５】
スピーカ５３は、異なる複数の音域に対応した複数のスピーカユニット及びアンプを備えた構成にされる。スピーカ５３は、制御ユニット５１から入力されるオーディオ信号を音に変換して出力するように動作する。
【００４６】
ディスプレイ５５は、例えば液晶ディスプレイとして構成される。ディスプレイ５５は、制御ユニット５１に制御されて、楽曲再生時に歌詞を表示する。この他、ディスプレイ５５は、制御ユニット５１に制御されて、楽曲再生時に視覚エフェクトを表示する。ここで言う視覚エフェクトは、楽曲のリズムに合わせて、色及び幾何学模様の少なくとも一方を変化させるアニメーションのことを言う。
【００４７】
通信ユニット５７は、通信端末１０と同様に、近距離無線通信モジュール及び無線ＬＡＮ通信モジュール（図示せず）を備える。即ち、通信ユニット５７は、上記近距離通信規格に従う近距離無線通信、及び、ＩＥＥＥ８０２．１１通信規格に従う無線ＬＡＮ通信を実現可能な構成にされる。制御ユニット５１は、通信ユニット５７を介して通信端末１０と近距離通信又は無線ＬＡＮ通信を行う。更に、制御ユニット５１は、通信ユニット５７を介した通信により、広域ネットワークＮＴに配置されたサーバ装置９０と広域通信する。
【００４８】
サーバ装置９０は、制御ユニット９１及びデータベース９５を備えた構成にされる。制御ユニット９１は、広域ネットワークＮＴを通じて音響システム５０と通信可能な構成にされる。制御ユニット９１は、音響システム５０から広域ネットワークＮＴを通じて歌詞データＤＬの要求信号を受信すると、その要求信号に従って、音響システム５０から要求された歌詞データＤＬを、データベース９５内で検索するように動作する。
【００４９】
制御ユニット９１は、上記検索により、上記要求された歌詞データＤＬをデータベース９５内で見つけることができた場合には、当該歌詞データＤＬを含む応答信号を、音響システム５０に送信する。一方、歌詞データＤＬを見つけることができなかった場合には、その旨の応答信号を、広域ネットワークＮＴを通じて音響システム５０に送信するように動作する。
【００５０】
データベース９５は、図３に示すように、楽曲毎の歌詞データＤＬを有した構成にされる。図３に示すように、歌詞データＤＬは、メタデータと、歌詞データ本体と、を有する。メタデータは、楽曲名、作曲者名及び作詞者名等の楽曲情報を含む。楽曲情報は、音響システム５０から要求された歌詞データＤＬを特定するために用いられる。
【００５１】
歌詞データ本体は、楽曲に対応する歌詞を表す文字列の一群を有する。具体的に、歌詞データ本体は、楽曲全体の歌詞を、複数行に区切って定義される行毎に、行データを有した構成にされる。行データは、行開始時刻として、その行に対応する楽曲部分（パート）の再生開始時刻の情報を有した構成にされる。行開始時刻は、楽曲の先頭を原点ゼロとした時刻、即ち、楽曲先頭からの再生時間で表される。
【００５２】
行データは、この行に対応する歌詞領域に関して、文節毎に、この文節の開始時刻及び終了時刻を表す情報、並びに、この文節に対応する歌詞の文字列を有した構成にされる。文節の開始時刻及び終了時刻も、楽曲の先頭を原点とした時刻（再生時間）で表される。行データにおいて、各文節の文字列は、この文節の開始時刻から終了時刻までの期間にお
いて表示されるべき文字列として定義される。
【００５３】
続いて、通信端末１０の制御ユニット１１により実現される機能の詳細を、図４を用いて説明する。制御ユニット１１は、プログラムの実行により、主制御部１１１、第一送信制御部１１３、及び、第二送信制御部１１５として機能する。
【００５４】
主制御部１１１は、記憶ユニット１３が記憶する楽曲データＤＭの一つに対する再生指示が、ユーザインタフェース１５を通じてユーザから入力されたことを条件に、図５に示す処理を実行するように構成される。
【００５５】
具体的に、主制御部１１１は、再生指示が入力されると、再生指示により指定された再生処理対象の楽曲データＤＭを参照し（Ｓ１１０）、この楽曲データＤＭに対応する曲目データを付した動作命令を、音響システム５０に、通信ユニット１７を介して送信する（Ｓ１２０）。この動作命令及び曲目データの送信は、例えば、ＯＳＣ（ＯｐｅｎＳｏｕｎｄ  Ｃｏｎｔｒｏｌ）通信プロトコルに基づいて、無線ＬＡＮ通信により行われる。
【００５６】
楽曲データＤＭは、図４に示すように、楽曲データ本体にメタデータが付された構成にされる。メタデータは、楽曲名、作曲者名及び作詞者名等の楽曲情報を有する。主制御部１１１は、このメタデータを参照して、再生処理対象の楽曲データＤＭに対応する曲目データを付した動作命令を、音響システム５０に通信ユニット１７を介して送信する。
【００５７】
曲目データは、音響システム５０が再生処理対象の楽曲データＤＭに対応する歌詞データＤＬをサーバ装置９０から取得できるようにするために、音響システム５０に提供される。即ち、曲目データは、楽曲データＤＭに対応する歌詞データＤＬを音響システム５０及びサーバ装置９０が識別可能な識別用データとして送信される。曲目データは、例えば楽曲名、作曲者名及び作詞者名等の楽曲情報を含んだ構成にされ得る。
【００５８】
動作命令を送信すると、音響システム５０からは、通知信号として、歌詞データＤＬのサーバ装置９０からの取得が完了したことを表す取得完了通知、及び、歌詞データＤＬのサーバ装置９０からの取得に失敗したことを表す取得失敗通知のいずれかが送信されてくる。主制御部１１１は、この通知信号を、通信ユニット１７を介して音響システム５０から受信する（Ｓ１３０）。
【００５９】
その後、主制御部１１１は、受信した通知信号が取得完了通知及び取得失敗通知のいずれであるかに応じて処理を切り替える（Ｓ１４０）。主制御部１１１は、受信した通知信号が取得完了通知である場合には（Ｓ１４０でＹｅｓ）、Ｓ１５０に移行し、楽曲再生処理及び再生位置送信処理の開始を指示する。楽曲再生処理の開始指示は、第一送信制御部１１３に入力される。再生位置送信処理の開始指示は、第二送信制御部１１５に入力される。
【００６０】
第一送信制御部１１３は、上記開始指示に従って、楽曲データＤＭを再生処理することにより、楽曲データＤＭの再生用信号を生成し、この再生用信号を、通信ユニット１７を介して音響システム５０に送信する。ここで言う再生処理は、楽曲をスピーカ５３が出力するまでの再生過程の内、通信端末１０側で完了すべき過程を実現するための処理であり得る。
【００６１】
従って、第一送信制御部１１３が実行する再生処理は、主に楽曲データＤＭをデコードする処理であり得る。例えば、再生処理は、音響システム５０が楽曲をスピーカ５３から出力可能な形態まで、楽曲データＤＭをデコードする処理であり得る。
【００６２】
本実施例では、上記再生処理として、楽曲データＤＭのストリーム再生を実現するための処理が、第一送信制御部１１３により実行される。楽曲データＤＭをストリーム再生するための技術としては、アップル社のＡｉｒＰｌａｙ（登録商標）が知られている。第一送信制御部１１３は、この種の技術を用いて、楽曲データＤＭを再生用信号に変換し、これを近距離無線通信又は無線ＬＡＮ通信により、音響システム５０に送信する構成にされ得る。
【００６３】
一方、第二送信制御部１１５は、上記開始指示に従って、第一送信制御部１１３により再生処理される楽曲データＤＭの再生位置を表す再生位置信号を送信する構成にされる。即ち、第二送信制御部１１５は、第一送信制御部１１３が送信する再生用信号によって出力される音の楽曲全体における位置（再生位置）を表す再生位置信号を送信する。
【００６４】
第二送信制御部１１５は、第一送信制御部１１３が管理する再生位置の情報を、第一送信制御部１１３から取得して、その再生位置を表す再生位置信号を送信する構成にされ得る。再生位置信号は、例えば、再生位置を、楽曲先頭を原点ゼロとした時刻、即ち楽曲先頭からの再生時間で表した信号として構成され得る。
【００６５】
付言すると、第二送信制御部１１５は、１秒から数秒程度の一定時間Ｔｃ毎に、その時点での再生位置を表す再生位置信号を音響システム５０に送信するように構成され得る。図６に示す逆三角図形は、再生位置信号の送信タイミングを表す。上段領域（Ｉ）に示す例によれば、再生位置信号は、一定の時間間隔Ｔｃを有する時刻ｔ０，ｔ１，ｔ２，ｔ３，ｔ４，ｔ５，ｔ６，ｔ７，ｔ８の夫々で送信される。時刻ｔ０は、楽曲先頭（楽曲の再生開始タイミング）に対応する。
【００６６】
ところで、ユーザからは、ユーザインタフェース１５を通じて、戻し再生指示、及び、スキップ指示等のトリックプレイに関する指示が入力される場合がある。この場合、第一送信制御部１１３は、ユーザからの上記指示に従って、再生位置を変更するように、楽曲データＤＭに対する再生処理を実行する。
【００６７】
こういったケースを想定すると、再生位置信号を一定の時間間隔Ｔｃで送信する方法では、実際の再生位置と音響システム５０が再生位置信号に基づいて把握する再生位置との間にずれが生じやすい。そこで、第二送信制御部１１５は、再生位置が不規則に変化する事象の発生時には、その事象発生時点で、変化後の再生位置を表す再生位置信号を送信するように構成されてもよい。
【００６８】
図６の中段領域（ＩＩ）に示す例によれば、第二送信制御部１１５は、再生位置信号を、一定の時間間隔２Ｔｃを有する時刻ｔ０，ｔ２，ｔ４の夫々で送信する。その後、戻し再生指示が入力されたことに起因して第一送信制御部１１３での再生位置が変更されると、第二送信制御部１１５は、次のように動作する。即ち、第二送信制御部１１５は、再生位置が変更された時点（時刻ｔ１０）で、再生位置信号の定期送信動作を逸脱して、再生位置信号を送信するように動作する。第二送信制御部１１５は、その後、時刻ｔ１０を基点にした一定の時間間隔２Ｔｃで（即ち、時刻ｔ１２，ｔ１４，１６の夫々で）、再生位置信号を送信する。
【００６９】
図６の下段領域（ＩＩＩ）に示す例によれば、第二送信制御部１１５は、再生位置信号を一定の時間間隔２Ｔｃを有する時刻ｔ０，ｔ２の夫々で送信する。その後、スキップ再生指示が入力されたことに起因して第一送信制御部１１３での再生位置が変更されると、第二送信制御部１１５は、次のように動作する。即ち、第二送信制御部１１５は、再生位置が変更された時点（時刻ｔ２０）で、再生位置信号の定期送信動作を逸脱して、再生位置信号を送信するように動作する。第二送信制御部１１５は、その後、時刻ｔ２０を基点
にした一定の時間間隔２Ｔｃ毎に（例えば時刻ｔ２２で）、再生位置信号を送信する。
【００７０】
図６の中段領域（ＩＩ）及び下段領域（ＩＩＩ）に示される再生位置信号の送信周期２Ｔｃは、上段領域（Ｉ）に示される再生位置信号の送信周期Ｔｃより長い。このことは、再生位置が不連続に変化する事象の発生時点で再生位置信号を送信するように、第二送信制御部１１５を構成すれば、定期送信時の再生位置信号の送信周期を長くし得ることを示唆している。なぜなら、トリックプレイ等によっても、実際の再生位置と、音響システム５０が把握する再生位置との間にずれが生じにくいためである。
【００７１】
Ｓ１５０（図５参照）における開始指示により、第一送信制御部１１３及び第二送信制御部１１５では、上述した処理が開始され、この処理は、楽曲の再生が終了するまで行われる。主制御部１１１は、Ｓ１５０の処理により楽曲の再生が開始されると、Ｓ１６０に移行し、歌詞表示処理を実行することにより、楽曲の再生に合わせて、ユーザインタフェース１５に、歌詞を表示させる。
【００７２】
本実施例では、音響システム５０が、サーバ装置９０から取得した歌詞データＤＬを上記取得完了通知と共に通信端末１０に送信する。この歌詞データＤＬは、Ｓ１３０において通知信号と共に受信される。Ｓ１６０において主制御部１１１が実行する歌詞表示処理は、この歌詞データＤＬに基づいて、ユーザインタフェース１５（液晶ディスプレイ）に、歌詞を表示させる処理である。主制御部１１１は、歌詞表示処理において、第一送信制御部１１３から再生位置の情報を取得し、再生位置に応じた歌詞の文字列が表示されるように、ユーザインタフェース１５を制御する。
【００７３】
具体的に、主制御部１１１は、再生位置に対応する歌詞の文節を、歌詞データＤＬが示す文節毎の文節開始時刻及び文節終了時刻に基づいて特定する。具体的には、再生位置が表す楽曲先頭からの再生時間（再生時刻）が、文節開始時刻から文節終了時刻までの期間内にある文節を、再生位置に対応する文節に特定する。そして、主制御部１１１は、歌詞データＤＬが示す上記特定した文節の文字列を、文字画像として液晶ディスプレイに表示させるように、ユーザインタフェース１５を制御する。主制御部１１１は、この歌詞表示処理を楽曲の再生が終了するまで継続し、その後、歌詞表示処理（Ｓ１６０）及び図５に示す処理を終了する。
【００７４】
この他、主制御部１１１は、音響システム５０から受信した通知信号が取得失敗通知である場合（Ｓ１４０でＮｏ）、Ｓ１７０に移行し、Ｓ１５０と同様に、楽曲再生処理の開始を指示する。その後、図５に示す処理を終了する。取得失敗通知を受信した場合には、再生処理対象の楽曲データＤＭに対応する歌詞データＤＬを音響システム５０が有していない。この場合、音響システム５０では、楽曲の再生に合わせて、ディスプレイ５５に歌詞を表示することができない。
【００７５】
Ｓ１７０では、音響システム５０に、歌詞表示なしで楽曲をスピーカ５３から出力させるために、第二送信制御部１１５に対して開始指示を入力せず、第一送信制御部１１３に対して開始指示を入力する。
【００７６】
続いて、音響システム５０の制御ユニット５１により実現される機能の詳細を、図４を用いて説明する。音響システム５０の制御ユニット５１は、プログラムの実行により、データ取得部５１１、再生制御部５１３、表示制御部５１５、及び、カウンタ５１７として機能する。
【００７７】
データ取得部５１１は、通信端末１０からの動作命令に応じて、サーバ装置９０から歌詞データＤＬを取得する。歌詞データＤＬの取得のために、データ取得部５１１は、図７
に示す処理を繰返し実行する。この処理を開始すると、データ取得部５１１は、通信端末１０からＳ１２０で送信される動作命令及び曲目データを、通信ユニット５７を介して受信するまで待機し、動作命令及び曲目データを受信すると（Ｓ２１０でＹｅｓ）、Ｓ２２０に移行する。
【００７８】
Ｓ２２０において、データ取得部５１１は、通信端末１０から受信した曲目データに基づき、通信端末１０が再生処理しようとする楽曲データＤＭに対応する歌詞データＤＬを、サーバ装置９０に要求する。例えば、データ取得部５１１は、受信した曲目データが示す楽曲名等を含む要求信号をサーバ装置９０に通信ユニット５７を介して送信する。
【００７９】
この要求信号が送信されると、サーバ装置９０からは上述した応答信号が送信されてくる。データ取得部５１１は、サーバ装置９０からの応答信号を、通信ユニット５７を介して受信する（Ｓ２３０）。その後、応答信号に歌詞データＤＬが含まれるか否かを判断する（Ｓ２４０）。
【００８０】
ここで、応答信号に歌詞データＤＬが含まれると判断すると（Ｓ２４０でＹｅｓ）、データ取得部５１１は、Ｓ２５０に移行し、動作命令送信元の通信端末１０に対して、通信ユニット５７を介して取得完了通知を送信する。データ取得部５１１は、取得完了通知に、サーバ装置９０から取得した歌詞データＤＬを付して送信することができる。
【００８１】
一方、応答信号に歌詞データＤＬが含まれない場合（Ｓ２４０でＮｏ）、データ取得部５１１は、Ｓ２６０に移行し、動作命令送信元の通信端末１０に対して、通信ユニット５７を介して、歌詞データＤＬの取得に失敗した旨の取得失敗通知を送信する。上記取得完了通知又は取得失敗通知の送信後、データ取得部５１１は、図７に示す処理を一旦終了する。
【００８２】
再生制御部５１３は、上記取得完了通知又は取得失敗通知の送信後に、通信端末１０から送信されてくる再生用信号を、通信ユニット５７を介して受信し、この再生用信号に基づく音を、受信に応じて連鎖的にスピーカ５３に出力させることにより、スピーカ５３を通じた楽曲再生を実現する。例えば、再生制御部５１３は、受信した再生用信号を、アナログのオーディオ信号に変換して、これをスピーカ５３に入力することにより、再生用信号に基づく音（サウンド）をスピーカ５３に出力させる。楽曲データＤＭのストリーム再生に、Ａｉｒｐｌａｙを用いる場合には、この規格に従って送信されてくる再生用信号を、逐次スピーカ５３への入力信号に変換するように、再生制御部５１３は動作し得る。
【００８３】
一方、表示制御部５１５は、上記取得完了通知の送信後に、通信端末１０から送信されてくる再生位置信号を、通信ユニット５７を介して受信し、この再生位置信号及び歌詞データＤＬに基づいて、スピーカ５３からの出力音に対応する歌詞の文字列がディスプレイ５５に表示されるように、ディスプレイ５５を制御する。
【００８４】
例えば、表示制御部５１５は、カウンタ５１７がカウントする時間を、受信した再生位置信号が表す再生位置に対応した時間に補正する構成にされ得る。カウンタ５１７は、楽曲の再生が開始される時（時刻ｔ０）に、通信端末１０から送信されてくる再生位置信号に基づく表示制御部５１５の動作によってゼロにリセットされる。カウンタ５１７は、その後の経過時間をカウントする。
【００８５】
カウンタ５１７によりカウントされる時間は、表示制御部５１５が再生位置信号を受信する度、表示制御部５１５の動作によって、その再生位置信号が示す再生位置に対応する時間に補正される。この補正により、カウンタ５１７がカウントする時間は、楽曲先頭からの再生時間に基本的に一致した時間に補正され、トリックプレイの影響を大きくは受け
ない、楽曲の再生位置を表すパラメータとして機能する。
【００８６】
表示制御部５１５は、このカウンタ５１７がカウントする時間及び歌詞データに基づいて、スピーカ５３からの出力音に対応する歌詞の文字列を、ディスプレイ５５に表示させる構成にされ得る。このカウンタ５１７は、再生位置信号の非受信期間において、スピーカ５３から出力される音の再生位置を、表示制御部５１５が特定することを可能にする点で有益である。従って、カウンタ５１７は、再生位置信号の送信間隔が長い場合に特に有効に機能する。逆に、再生位置信号の送信間隔が短い場合、カウンタ５１７は、設けられなくてもよい。
【００８７】
表示制御部５１５は、通信端末１０のＳ１６０において実行される歌詞表示処理と同様の手法で、データ取得部５１１が取得した歌詞データＤＬに基づき、スピーカ５３から出力される音の再生位置に応じた歌詞の文字列を、ディスプレイ５５に表示させるように、ディスプレイ５５を制御することができる。
【００８８】
通信端末１０から音響システム５０に再生位置信号が提供されることにより、通信端末１０及び音響システム５０の間では、ほぼ同期して、ユーザインタフェース１５及びディスプレイ５５上に、スピーカ５３から出力される楽曲の再生区間に対応した歌詞の文字列が表示される。ここで「ほぼ同期して」と表現したのは、通信によるタイムラグによって、通信端末１０が把握する再生位置と、音響システム５０が把握する再生位置との間に微小な誤差が生じる可能性があるためである。
【００８９】
以上、本実施例の楽曲再生システム１について説明したが、この楽曲再生システム１によれば、通信端末１０が有する楽曲データＤＭを利用して、楽曲再生を、音響システム５０に実現させることができる。しかも、音響システム５０は、楽曲データＤＭが表す一連の音（楽曲）の出力に合わせて、出力音に対応する歌詞の言葉（文字列）を、画像として出力することができる。従って、この楽曲再生システム１によれば、楽曲に対する新たな楽しみ方をユーザに提供することができ、楽曲を聴くことに対するユーザの楽しみを増大することができる。
【００９０】
例えば、ユーザは、音響システム５０を利用して楽曲を音として楽しむことができ、同時に、その歌詞を見て楽しむことができる。更に、ユーザは、この音響システム５０と同一空間内にいる他のユーザとの間で、楽曲及び歌詞を共有することができる。付言すれば、この音響システム５０によれば、楽曲を歌詞と共に楽しんでほしいという一部の楽曲提供者の願いに答えることができ、楽曲を歌詞と共に楽しみたいという一部の消費者の欲求にも十分答えることができる。
【００９１】
上記実施例では、通信端末１０から音響システム５０に対して再生位置信号を提供することで、既存の楽曲データＤＭ及び既存のストリーム再生技術を利用しつつ、音響システム５０で、楽曲再生に合わせて歌詞表示を行うことができるようにした点も、注目すべき点である。
【００９２】
また、上記実施例では、音響システム５０がサーバ装置９０から歌詞データＤＬを取得して、これを通信端末１０に提供する。通信端末１０は、この音響システム５０から受信した歌詞データＤＬに基づき、スピーカ５３からの出力音に対応する歌詞の文字列を、ユーザインタフェース１５に表示させる。この歌詞表示は、音響システム５０と通信端末１０との間でほぼ同期して行われる。
【００９３】
従って、ユーザは、音響システム５０が表示する歌詞を見ることもできるし、手元の通信端末１０が表示する歌詞も見ることもできる。このように、本実施例の楽曲再生システ
ム１は、ユーザが快適に楽曲を楽しむことができる効果をもたらす点で、非常に有益である。
【００９４】
［第一変形例］
続いて、上記実施例に対する第一変形例を説明する。第一変形例の楽曲再生システム１は、図１の破線で示すように、音響システム５０が、動作命令元の通信端末１０とは異なる別の通信端末１０Ａに対して、歌詞データＤＬ及び再生位置信号を、通信ユニット５７を介して送信するように構成されたものである。以下では、本変形例の楽曲再生システム１が備える構成及び動作に関して、上記実施例とは異なる構成及び動作を説明し、同一の構成及び動作の説明を適宜省略する。
【００９５】
本変形例によれば、データ取得部５１１が、Ｓ２５０（図７参照）において、歌詞データＤＬを動作命令元の通信端末１０に加えて他の通信端末１０Ａにも送信するように構成される。他の通信端末１０Ａの例としては、音響システム５０と同じローカルエリアネットワーク内の通信端末や、音響システム５０と近距離通信可能な通信端末を一例に挙げることができる。本変形例では、更に、表示制御部５１５が、通信端末１０から受信した再生位置信号を、通信ユニット５７を介して他の通信端末１０Ａに送信するように構成される。
【００９６】
このように構成された楽曲再生システム１によれば、通信端末１０Ａは、通信端末１０と同様に、音響システム５０による楽曲再生に合わせて、内蔵するディスプレイに歌詞を表示することができる。例えば、通信端末１０Ａは、表示制御部５１５と同様の手法で、内蔵するディスプレイに歌詞を表示することができる。
【００９７】
複数の通信端末１０，１０Ａで歌詞表示を行うことができれば、通信端末１０，１０Ａを所有する複数のユーザ同士で、楽曲及び歌詞を共有することができ、楽曲の楽しみが増大する。本変形例に対する更なる変形例として、音響システム５０は、通信端末１０から取得した曲目データを、歌詞データＤＬに代えて、通信端末１０Ａに提供する構成にされてもよい。この場合、通信端末１０Ａは、受信した曲目データに基づき、サーバ装置９０から、再生処理対象の楽曲データＤＭに対応する歌詞データＤＬを取得するように構成され得る。
【００９８】
［第二変形例］
続いて、上記実施例に対する第二変形例を説明する。第二変形例の楽曲再生システム１は、図８に示すように、通信端末１０が、サーバ装置９０から歌詞データＤＬを取得するように構成される。以下では、本変形例の楽曲再生システム１が備える構成及び動作に関して、上記実施例とは異なる構成及び動作を説明し、同一の構成及び動作の説明を適宜省略する。
【００９９】
本変形例では、通信端末１０の制御ユニット１１が、主制御部１１１に代えて主制御部６１１として機能する。主制御部６１１は、記憶ユニット１３が記憶する楽曲データＤＭの一つに対する再生指示がユーザインタフェース１５を通じてユーザから入力されたことを条件に、再生処理対象の楽曲データＤＭが有するメタデータを参照して、この楽曲データＤＭに対応する歌詞データＤＬを、サーバ装置９０に要求する。
【０１００】
例えば、主制御部６１１は、メタデータが示す楽曲名等を含む要求信号をサーバ装置９０に、通信ユニット１７を介して送信することができる。通信ユニット１７は広域通信可能に構成される。主制御部６１１は、この要求信号に対する応答信号をサーバ装置９０から受信し、応答信号に歌詞データＤＬが含まれる場合には、この歌詞データＤＬを、通信ユニット１７を介して音響システム５０に送信した後、Ｓ１５０，Ｓ１６０と同様の処理
を実行する。応答信号に歌詞データＤＬが含まれない場合、主制御部６１１は、Ｓ１７０と同様の処理を実行する。
【０１０１】
Ｓ１６０と同様の処理として、主制御部６１１は、自己がサーバ装置９０から取得した歌詞データＤＬに基づいて、音響システム５０からの出力音に対応する歌詞の文字列を、ユーザインタフェース１５に表示させる処理を実行することができる。
【０１０２】
本変形例によれば、音響システム５０の制御ユニット５１は、データ取得部５１１に代えてデータ取得部７１１として機能する。データ取得部７１１は、通信ユニット５７を介して通信端末１０から歌詞データＤＬを受信し、この歌詞データＤＬを、表示制御部５１５に提供する。本変形例によれば、音響システム５０を広域通信可能に構成しなくても、音響システム５０に歌詞データＤＬを提供することができる。
【０１０３】
［他の実施形態］
本発明は、更に様々な態様にて実施することが可能である。上記実施例並びに第一及び第二変形例は、楽曲データＤＭ及び歌詞データＤＬを取り扱うものであったが、本発明に対応する技術思想は、音声付動画データ及び字幕データを取り扱う動画再生システムにも適用することができる。この場合、音響システムは、動画を再生する一方、動画に対応する字幕を表示するように構成され得る。字幕の例としては、例えば、動画音声の翻訳文及び解説文を一例に挙げることができる。
【０１０４】
上記実施例並びに第一及び第二変形例に関して言及すると、歌詞データＤＬは、音声で再生される歌詞を、正確に文字で表示するためのデータであってもよいし、音声で再生される歌詞とは異なる言語で歌詞を表示するためのデータであってもよい。例えば、日本語で歌われる楽曲に対して、英語の歌詞を表示可能であるように、歌詞データＤＬは構成され得る。このような歌詞の表示形態は、再生される楽曲に対応する原曲が異なる言語の歌として存在する場合に有意義に機能する。
【０１０５】
また、上記実施例では、歌詞を構成する文字列が文節毎に分割されたデータ構造を有する歌詞データＤＬを例示したが、歌詞データＤＬは、歌詞の各部位と再生位置との対応関係を規定する情報が含まれるデータ構造を有するものであれば十分であり、例示されたデータ構造を有するものに限定されない。例えば、上述した歌詞データＤＬの行データは、文節毎に分割された文字列を有するものではなく、行の開始時刻（及び終了時刻）、並びに、その行の文字列が記載されたものであってもよい。
【０１０６】
この他、再生位置が不規則に変化するようなトリックプレイが存在しない環境を前提とすれば、再生位置信号は、用いられなくてもよい。即ち、音響システム５０は、再生用信号に基づく楽曲のスピーカ５３からの出力が開始される時点を基準に、この時点からの経過時間をカウンタ５１７にて計測し、計測される経過時間を、再生位置に対応する時間であるとみなして、出力音に対応する歌詞の文字列をディスプレイ５５に表示するように動作し得る。
【０１０７】
また、音響システム５０は、通信端末１０からの再生用信号又はスピーカ５３からの出力音を解析して歌詞を抽出するように構成され得る。この場合、音響システム５０は、解析により抽出した歌詞を表示することができる。従って、歌詞データＤＬは、サーバ装置９０から取得されなくてもよい。
【０１０８】
同様に、音響システム５０は、通信端末１０からの再生用信号又はスピーカ５３からの出力音を解析して楽曲名を特定するように構成され得る。この場合、音響システム５０は、曲目データを通信端末１０から受信しなくても、サーバ装置９０から対応する歌詞デー
タＤＬを取得可能である。
【０１０９】
音響システム５０における歌詞表示は、歌詞の一部を強調表示するような形態で実現されてもよい。例えば、歌詞データＤＬには、強調表示すべき文字列に目印を付しておくことができる。そして、音響システム５０は、この目印に従って、歌詞の一部を強調表示するように、ディスプレイ５５を制御する構成にされ得る。こうした強調表示は、楽曲提供者が特に伝いたいメッセージを含む歌詞の部分に対して行い得る。
【０１１０】
音響システム５０のディスプレイ５５に表示される視覚エフェクトは、ユーザインタフェース１５を通じたユーザからの操作に応じて変更されてもよい。例えば、通信端末１０は、ユーザインタフェース１５を通じて入力される、視覚エフェクトに対する操作信号を、音響システム５０に通信ユニット１７を介して送信する構成にされ得る。
【０１１１】
一方、音響システム５０は、通信端末１０から受信した上記操作信号に基づき、視覚エフェクトを変更するように、ディスプレイ５５を制御する構成にされ得る。例えば、通信端末１０のユーザが、ユーザインタフェース１５に対して叩く操作を行うと、これに対応して、叩いたときの振動が伝わっているかのようなアニメーションが視覚エフェクトに現れるように、ディスプレイ５５は制御され得る。このようなアニメーションは、歌詞の文字列画像に対しても加えられ得る。
【０１１２】
プログラムにより制御ユニット１１，５１上で実現される機能の一部又は全部は、専用のハードウェア回路により実現されてもよい。
この他、制御ユニット１１を、主制御部１１１、第一送信制御部１１３及び第二送信制御部１１５として機能させるためのプログラムは、コンピュータが読取可能なあらゆる形態の記録媒体に記録され得る。例えば、このプログラムは、持ち運び可能な半導体製メモリ、磁気ディスク、及び、光ディスク等に格納されて、ユーザに提供され得る。プログラムは、ネットワークを通じて通信端末１０に提供又はインストールされてもよい。
【０１１３】
更に、通信端末１０と音響システム５０との間の通信は、適切な範囲内で任意の通信技術を用いて実現することができ、この通信は、例示されたＡｉｒｐｌａｙやブルートゥース通信等に何ら限定されるものでない。勿論、通信端末１０と音響システム５０との間の通信は、複数の通信規格又は単一の通信規格を用いて実現可能である。送受信するデータ及び信号の種類に応じて、異なる通信規格で通信が行われてもよい。ここでは、通信端末１０と音響システム５０との間の通信について言及したが、音響システム５０とサーバ装置９０との間の通信、通信端末１０とサーバ装置９０との間の通信に対しても同様のことが言える。
【０１１４】
［対応関係］
最後に、用語間の対応関係について説明する。スピーカ５３及びディスプレイ５５は、出力ユニットの一例に対応し、ユーザインタフェース１５は、表示ユニットの一例に対応する。再生制御部５１３は、第一出力制御ユニットの一例に対応し、表示制御部５１５は、第二出力制御ユニットの一例に対応し、データ取得部５１１，７１１は、取得制御ユニットの一例に対応する。この他、第一送信制御部１１３は、第一送信制御ユニットの一例に対応し、第二送信制御部１１５は、第二送信制御ユニットの一例に対応し、主制御部１１１，６１１は、表示制御ユニットの一例に対応する。
【符号の説明】
【０１１５】
１…楽曲再生システム、１０，１０Ａ…通信端末、１１…制御ユニット、１１Ａ…ＣＰＵ、１１Ｂ…メモリ、１３…記憶ユニット、１５…ユーザインタフェース、１７…通信ユニット、５０…音響システム、５１…制御ユニット、５１Ａ…ＣＰＵ、５１Ｂ…メモリ、５
３…スピーカ、５５…ディスプレイ、５７…通信ユニット、９０…サーバ装置、９１…制御ユニット、９５…データベース、１１１，６１１…主制御部、１１３…第一送信制御部、１１５…第二送信制御部、５１１，７１１…データ取得部、５１３…再生制御部、５１５…表示制御部、５１７…カウンタ、ＤＬ…歌詞データ、ＤＭ…楽曲データ、ＮＴ…広域ネットワーク。
【要約】
【課題】ユーザの楽しみを増大し得る音響システムを提供する。
【解決手段】音響システム（５０）は、出力ユニットと、通信ユニットと、第一出力制御ユニットと、第二出力制御ユニットと、を備える。出力ユニットは、音及び画像を出力可能な構成にされる。通信ユニットは、外部装置（１０，９０）と通信可能な構成にされる。第一出力制御ユニットは、音響データの再生用信号を送信する通信機器（１０）から、通信ユニットを介して再生用信号を受信し、再生用信号に基づく音を出力ユニットに出力させることにより、音響データが表す一連の音の再生を実現する構成にされる。第二出力制御ユニットは、音響データが表す一連の音の内、出力ユニットが出力する音に対応する言葉を、画像として出力ユニットに出力させる構成にされる。
【選択図】図１【図１】
0005728120.tif 000002
【図２】
0005728120.tif 000003
【図３】
0005728120.tif 000004
【図４】
0005728120.tif 000005
【図５】
0005728120.tif 000006
【図６】
0005728120.tif 000007
【図７】
0005728120.tif 000008
【図８】
0005728120.tif 000009